(57)【特許請求の範囲】
【請求項１】
第１の医用画像診断装置と第２の医用画像診断装置とを有する医用検査システムであって、
前記第１の医用画像診断装置は、
前記第２の医用画像診断装置による検査対象部位の位置である対象位置の指定をＸ線画像について受け付ける指定受付部と、
前記対象位置と、前記Ｘ線画像が撮影されたときのＸ線検出器の位置と、前記第１の医用画像診断装置について予め定められた第１の基準位置とに基づいて、前記対象位置と前記第１の基準位置との距離を算出する算出部と、
前記距離と被検者を識別可能な情報との双方を表す読み込み可能な符号を生成する符号生成部と、
を有し、
前記第２の医用画像診断装置は、
前記符号を読み込み、前記符号を前記距離と前記被検者を識別可能な情報とに変換する符号変換部と、
前記変換された前記距離及び前記被検者を識別可能な情報、並びに前記第１の基準位置に対応する位置として前記第２の医用画像診断装置について予め定められた第２の基準位置に基づいて、前記第２の医用画像診断装置において前記対象位置に対応する対応位置を前記被検者について特定する位置特定部と、
特定された前記対応位置にＸ線を照射可能な位置へＸ線管球を移動させる駆動制御部と、
を有する
ことを特徴とする医用検査システム。
【請求項２】
前記第１の基準位置は、前記Ｘ線画像における座標と対応可能な２つの座標軸方向に対しての基準として予め定められ、
前記算出部は、前記２つの座標軸方向についての前記距離を算出し、
前記位置特定部は、前記第２の医用画像診断装置について前記２つの座標軸方向に対応する方向に基づいて前記対応位置を特定する
ことを特徴とする請求項１に記載の医用検査システム。
【請求項３】
前記指定受付部は、前記検査対象部位を含む対象範囲の指定を前記対象位置の指定として受け付け、
前記第２の医用画像診断装置は、Ｘ線絞りを含み、
前記位置特定部は、前記対応位置として、前記第２の医用画像診断装置について前記対象範囲に対応する対応範囲を特定し、
前記駆動制御部は、前記Ｘ線絞りを制御して、前記対応範囲にＸ線を照射するための開口を形成させる
ことを特徴とする請求項２に記載の医用検査システム。
【請求項４】
前記第１の医用画像診断装置は、
標準的な前記対象位置である標準位置を予め記憶する標準位置記憶部と、
前記Ｘ線画像と前記標準位置を表すマーカとを共に重畳して表示させる表示制御部と、
を含み、
前記指定受付部は、標準位置を前記対象位置とする指定を前記対象位置の指定として受け付けることが可能に構成される
ことを特徴とする請求項１〜３のいずれか１つに記載の医用検査システム。
【請求項５】
第１の医用画像診断装置で撮影された被検者のＸ線画像において、第２の医用画像診断装置による検査対象部位の位置である対象位置の指定を受け付ける指定受付部と、
前記対象位置と、前記Ｘ線画像が撮影されたときのＸ線検出器の位置と、前記第１の医用画像診断装置について予め定められた第１の基準位置とに基づいて、前記対象位置と前記第１の基準位置との距離を算出する算出部と、
前記距離と前記被検者を識別可能な情報との双方を表す読み込み可能な符号を生成する符号生成部と、
前記符号を読み込み、前記符号を前記距離と前記被検者を識別可能な情報とに変換する符号変換部と、
前記変換された前記距離及び前記被検者を識別可能な情報、並びに前記第１の基準位置に対応する位置として前記第２の医用画像診断装置について予め定められた第２の基準位置に基づいて、前記第２の医用画像診断装置において前記対象位置に対応する対応位置を前記被検者について特定し、特定された前記対応位置を前記第２の医用画像診断装置へ設定可能に出力する位置特定部と、
を有する医用検査システム。
【請求項６】
被検者の検査対象部位の位置である対象位置の指定をＸ線画像について受け付ける指定受付部と、
前記対象位置と、前記Ｘ線画像が撮影されたときのＸ線検出器の位置と、予め定められた第１の基準位置とに基づいて、前記対象位置と前記第１の基準位置との距離を算出する算出部と、
前記距離と前記被検者を識別可能な情報との双方を表す読み込み可能な符号を生成する符号生成部と、
標準的な前記対象位置である標準位置を予め記憶する標準位置記憶部と、
前記Ｘ線画像と前記標準位置を表すマーカとを共に重畳して表示させる表示制御部と、
を有し、
前記指定受付部は、前記標準位置を前記対象位置とする指定を前記対象位置の指定として受け付けることが可能に構成されるＸ線診断装置。
【発明の詳細な説明】
【技術分野】
【０００１】
本発明の実施形態は、医用検査システム及びＸ線診断装置に関する。
【背景技術】
【０００２】
一般的に、複数の被検者を対象とした集団健康診断では、複数の検査が順次行われる。複数の検査の例としては、胸部Ｘ線検査や胃部Ｘ線検査が挙げられる。集団健康診断では、胸部Ｘ線検査の後に胃部Ｘ線検査が行われる場合がある。
【０００３】
通常、胸部Ｘ線検査及び胃部Ｘ線検査には、それぞれ異なる医用画像診断装置が用いられる。また、それぞれの医用画像診断装置によるＸ線の撮影位置は、検査ごと、すなわち医用画像診断装置ごとに個別に調整される。
【０００４】
例えば、胸部Ｘ線検査後の被検者に行われる胃部Ｘ線検査の開始時において、技師は、被検者の体型に基づいて、検査対象部位にＸ線を照射するための位置付近へＸ線管球を手動で移動させる（粗調整移動と称する）。そして、技師は、被検者へＸ線を照射させるとともに、Ｘ線透視画像を見ながら検査対象部位にＸ線を照射するための位置へＸ線管球を手動で移動させる（微調整移動と称する）。この微調整移動が完了したのち、技師は、胃部Ｘ線検査を開始する。
【０００５】
微調整移動の時間が長いほど、被検者は、検査に直接関係のないＸ線の照射を多く受けることになる。このことは、不要被曝に繋がる可能性がある。また、通常、被検者は、胃部造影剤及び発泡剤を服用している。粗調整移動及び微調整移動の時間が長いほど、胃部造影剤及び発泡剤の服用による被検者の負担が増加する。
【先行技術文献】
【特許文献】
【０００６】
【特許文献１】特開２００９−２９１２８１号公報
【発明の概要】
【発明が解決しようとする課題】
【０００７】
本発明が解決しようとする課題は、検査時間の短縮及び被検者の被曝量の低減を図ることができる医用検査システムを提供することである。
【課題を解決するための手段】
【０００８】
実施形態の医用検査システムは、第１の医用画像診断装置と第２の医用画像診断装置とを有する。第１の医用画像診断装置は、指定受付部と、算出部と、符号生成部とを有する。指定受付部は、第２の医用画像診断装置による検査対象部位の位置である対象位置の指定をＸ線画像について受け付ける。算出部は、対象位置と、Ｘ線画像が撮影されたときのＸ線検出器の位置と、第１の医用画像診断装置について予め定められた第１の基準位置とに基づいて、対象位置と第１の基準位置との距離を算出する。符号生成部は、距離と被検者を識別可能な情報との双方を表す読み込み可能な符号を生成する。第２の医用画像診断装置は、符号変換部と、位置特定部と、駆動制御部とを有する。符号変換部は、符号を読み込み、符号を距離と被検者を識別可能な情報とに変換する。位置特定部は、距離及び被検者を識別可能な情報、並びに第１の基準位置に対応する位置として第２の医用画像診断装置について予め定められた第２の基準位置に基づいて、第２の医用画像診断装置において対象位置に対応する対応位置を被検者について特定する。駆動制御部は、特定された対応位置にＸ線を照射可能な位置へＸ線管球を移動させる。
【図面の簡単な説明】
【０００９】
【図１】実施形態の医用検査システムの概略を表す模式図。
【図２】実施形態の第１の医用画像診断装置の機能構成を表すブロック図。
【図３】実施形態のＸ線検出器の位置についての概略を表す模式図。
【図４】実施形態のＸ線画像の一例としての胸部Ｘ線画像の概略を表す模式図。
【図５】実施形態の第１の基準位置についての概略を表す模式図。
【図６】実施形態のＸ線画像の一例としての胸部Ｘ線画像とＸ線検出面との関係を表す模式図。
【図７】実施形態の第１の基準位置と検出面対応位置との関係を表す模式図。
【図８】実施形態の第２の医用画像診断装置の機能構成を表すブロック図。
【図９】実施形態の第２の医用画像診断装置の概略を表す模式図。
【図１０】実施形態の第２の基準位置についての概略を表す模式図。
【図１１】実施形態の医用検査システムの動作を表すフローチャート。
【図１２】実施形態の第１の医用画像診断装置の機能構成を表すブロック図。
【図１３】実施形態のＸ線画像と標準位置を表すマーカとの概略を表す模式図。
【図１４】実施形態のウィンドウの概略を表す模式図。
【図１５】実施形態の医用検査システムの動作を表すフローチャート。
【図１６】実施形態の医用検査システムの動作を表すフローチャート。
【発明を実施するための形態】
【００１０】
以下、実施形態の医用検査システムについて図面を参照して説明する。
【００１１】
〈第１の実施形態〉
図１は、この実施形態の医用検査システムの概略を表す模式図である。医用検査システムは、第１の医用画像診断装置１と第２の医用画像診断装置２とを有する。ここでは、第１の医用画像診断装置１が胸部Ｘ線診断装置であり、第２の医用画像診断装置２が胃部Ｘ線診断装置である例について説明する。例えば、第１の医用画像診断装置１及び第２の医用画像診断装置２は、それぞれ個別の検診車（Ｃ１，Ｃ２）に搭載される。このように搭載された医用画像診断装置を含む医用検査システムは、病院外で行われる移動式の集団健康診断に用いられる。この場合、被検者Ｅ１は、第１の医用画像診断装置１による胸部Ｘ線検査を受けた後、第２の医用画像診断装置２による胃部Ｘ線検査を受ける。
【００１２】
図２は、実施形態の第１の医用画像診断装置１の機能構成を表すブロック図である。第１の医用画像診断装置１は、被検者Ｅ１のＸ線画像を撮影する。以下、第１の医用画像診断装置１の構成について説明する。
【００１３】
第１の医用画像診断装置１は、Ｘ線照射部４と、高電圧発生部７と、立位撮影台８と、情報処理部２０とを主として備えている。Ｘ線照射部４は、高電圧発生部７からの高電圧が印加されるＸ線管球５と、Ｘ線絞り６とによって構成されている。情報処理部２０は、被検者ＩＤ読込部３ａと、被検者ＩＤ記憶部３ｂと、画像生成部１１と、指定受付部１４と、算出部１５と、符号生成部１６とを含む。立位撮影台８は、Ｘ線検出器９と、検出器位置取得部１０とを含む。Ｘ線照射部４、高電圧発生部７、立位撮影台８と、及び情報処理部２０は、システム制御部１７によって制御される。システム制御部１７には、操作部１３が接続されている。第１の医用画像診断装置１は、本発明における「Ｘ線診断装置」の一例に相当する。
【００１４】
被検者ＩＤ読込部３ａは、被検者Ｅ１を識別可能な被検者ＩＤを読み込む。通常、集団健康診断では、被検者Ｅ１ごとの問診票が用いられる。この問診票には、被検者ＩＤを表す１次元バーコードが印刷されたラベルが貼り付けられている。問診票は、第１の医用画像診断装置１の検診車Ｃ１へ到着した被検者Ｅ１により技師へ渡される。被検者ＩＤ読込部３ａは、バーコードリーダを含んで構成される。技師は、バーコードリーダを用いて被検者ＩＤ読込部３ａに１次元バーコードを読み込ませる。そして、被検者ＩＤ読込部３ａは、被検者ＩＤを特定する。被検者ＩＤ読込部３ａは、特定した被検者ＩＤを表す情報を被検者ＩＤ記憶部３ｂへ出力する。被検者ＩＤ記憶部３ｂは、一般的な記憶装置を含んで構成され、被検者ＩＤ読込部３ａから受けた被検者ＩＤを表す情報を記憶する。
【００１５】
Ｘ線照射部４は、ネックＮ１を介して検診車Ｃ１の天井に水平移動可能に保持される。また、ネックＮ１は伸縮可能に構成される。それにより、Ｘ線照射部４は、水平方向及び上下方向に移動可能に設けられる。Ｘ線管球５は、Ｘ線を発生する。Ｘ線管球５は、陰極及び陽極を備える。陰極は、電子を放出する。陽極は、陰極からの電子を受けてＸ線を発生し、被検者Ｅ１にＸ線を照射する。Ｘ線絞り６は、開口（スリット）を形成し、このスリットのサイズ及び形状を変えることによって、Ｘ線管球５が発生させたＸ線の照射視野を調整する。
【００１６】
高電圧発生部７は、Ｘ線管球５がＸ線を照射するための高電圧を発生する。高電圧発生部７は、Ｘ線管球５の陽極と陰極との間に高電圧を印加する。高電圧発生部７は、技師によるＸ線照射操作に基づく照射信号を受けたとき、Ｘ線管球５に高電圧を印加する。そして、Ｘ線管球５はＸ線を発生し、開口を通過したＸ線が被検者Ｅ１に照射される。
【００１７】
立位撮影台８は、Ｘ線検出器９と、検出器位置取得部１０とを有する。Ｘ線検出器９は、被検者Ｅ１を透過し、そしてＸ線検出面に入射したＸ線を検出する。Ｘ線検出器９は、検出したＸ線を電荷に変換して蓄積する。Ｘ線検出部は、蓄積した電荷を検出データとして画像生成部１１へ出力する。Ｘ線検出器９は、検診車Ｃ１の床から立設された支柱Ｐ１に上下移動可能に設けられる。胸部Ｘ線検査において、Ｘ線検出器９は、被検者Ｅ１の体格に合わせた位置へ移動される。そして、Ｘ線照射部４は、技師による操作によってＸ検出器９に対峙する位置へ移動される。これら移動後、技師によるＸ線照射操作に基づいてＸ線が照射される。従って、Ｘ線画像が撮影されたときのＸ線検出器９の位置は、被検者Ｅ１ごとに異なる場合がある。
【００１８】
検出器位置取得部１０は、Ｘ線画像が撮影されたときのＸ線検出器９の位置を取得する。図３は、実施形態のＸ線検出器９の位置についての概略を表す模式図である。検出器位置取得部１０は、Ｘ線照射操作がなされたときのＸ線検出器９の位置を取得する。検出器位置取得部１０は、照射信号を受け、該照射信号を受けたときのＸ線検出器９の位置を取得する。検出器位置取得部１０は、予め定められた高さ基準位置の間の距離をＸ線検出器９の位置として取得する。
【００１９】
図３では、Ｘ線検出器９の位置として、支柱Ｐ１の下端Ｐ２からＸ線検出器９の中心Ｐ３までの高さＴ１が取得される例を示している。なお、検出器取得部は、Ｘ線検出器９の中心Ｐ３ではなく、Ｘ線検出器９の上端や下端などの他の位置までの高さを取得してもよい。検出器位置取得部１０は、取得したＸ線検出器９の位置を表す位置情報を算出部１５へ出力する。なお、下端Ｐ２の位置は、通常、被検者Ｅ１の足底の位置となる。
【００２０】
画像生成部１１は、Ｘ線検出器９からの検出データに基づいてＸ線画像データを生成する。それにより、被検者Ｅ１の胸部を表すＸ線画像データが生成される。このことは、被検者Ｅ１のＸ線画像が撮影されることに相当する。画像生成部１１は、被検者ＩＤ記憶部３ｂから被検者ＩＤを読み出し、Ｘ線画像データに被検者ＩＤを付帯させてもよい。画像生成部１１は、記憶装置を有し、生成したＸ線画像データを記憶する。画像生成部１１は、生成したＸ線画像データを表示部１２へ出力する。
【００２１】
表示部１２は、画像生成部１１からのＸ線画像データに基づくＸ線画像を表示する。それにより、技師は、被検者Ｅ１のＸ線画像を視認することができる。表示部１２は、液晶ディスプレイや有機ＥＬ（Ｅｌｅｃｔｒｏ‐Ｌｕｍｉｎｅｓｃｅｎｃｅ）ディスプレイ等の表示装置により構成される。
【００２２】
操作部１３は、技師による操作を受けて、この操作の内容に応じた信号や情報を装置各部へ入力する。操作部１３は、例えば、キーボード、マウス等のポインティングデバイス、Ｘ線照射スイッチ等の各種スイッチにより構成される。
【００２３】
指定受付部１４は、第２の医用画像診断装置２による検査対象部位の位置である対象位置の指定をＸ線画像について受け付ける。指定受付部１４は、この検査対象部位を含む対象範囲の指定を対象位置の指定として受け付ける。この指定は、技師が、表示部１２に表示されたＸ線画像を視認しながら、操作部１３を操作して行われる。
【００２４】
図４は、実施形態のＸ線画像Ｐ４の一例としての胸部Ｘ線画像の概略を表す模式図である。通常、胸部Ｘ線画像に表される範囲には、胸部Ｘ線検査の主たる検査対象となる肺部Ｌ１とともに、胃部Ｘ線検査の主たる検査対象となる胃部Ｓ１が含まれている。技師は、表示された胸部Ｘ線画像を視認しながら、ポインティングデバイス等の操作部１３を操作して該胸部Ｘ線画像における胃部Ｓ１の位置を指定する。このとき、技師は、操作部１３を介して、楕円や長方形などの所定の図形を胸部Ｘ線画像に描くような操作入力を行い、第２の医用画像診断装置２の検査（この実施形態では胃部Ｘ線検査）による検査対象部位を含む対象範囲を指定する。指定受付部１４は、受け付けた対象範囲の位置すなわち対象位置を、表示されたＸ線画像での座標に変換する。指定受付部１４は、この対象位置を表す対象位置データを算出部１５へ出力する。
【００２５】
算出部１５は、対象位置と、Ｘ線画像が撮影されたときのＸ線検出器９の位置と、第１の医用画像診断装置１について予め定められた第１の基準位置とに基づいて、対象位置と第１の基準位置との距離及び方向を算出する。算出部１５は、指定受付部１４から対象位置データを受けることによって、Ｘ線画像における対象位置を特定する。算出部１５は、検出器位置取得部１０から位置情報を受けることによって、Ｘ線画像が撮影されたときのＸ線検出器９の位置を特定する。
【００２６】
第１の基準位置は、第１の医用画像診断装置１について予め定められた位置である。例えば、第１の基準位置は、Ｘ線画像における座標と対応可能な２つの座標方向に対しての基準として予め定められる。算出部１５は、メモリ領域を有し、第１の基準位置を表す第１の基準位置情報を予め記憶する。
【００２７】
図５は、実施形態の第１の基準位置についての概略を表す模式図である。例えば、第１の基準位置Ｐ５は、上下方向（ｚ軸方向）のＸ線検出面Ｓ２の中心軸Ａ１と支柱Ｐ１の下端Ｐ２との交点の位置に定められる。通常、Ｘ線検出面Ｓ２の座標は、Ｘ線画像Ｐ４の座標に対応する。立位撮影台８及びＸ線検出面Ｓ２の上下方向（ｚ軸方向）は、Ｘ線画像Ｐ４の上下方向（ｚ軸方向）に対応する。立位撮影台８及びＸ線検出面Ｓ２の左右方向（ｘ軸方向）は、Ｘ線画像Ｐ４の左右方向（ｘ軸方向）に対応する。
【００２８】
算出部１５は、２つの座標軸方向について、対象位置と第１の基準位置Ｐ５との距離及び方向を算出する。上述したように、算出部１５は、Ｘ線画像が撮影されたときのＸ線検出器９の位置を特定することにより、第１の基準位置Ｐ５から検出面の中心までの距離及び方向を求める。図６は、実施形態のＸ線画像Ｐ４の一例としての胸部Ｘ線画像とＸ線検出面Ｓ２との関係を表す模式図である。算出部１５は、Ｘ線画像Ｐ４の座標とＸ線検出面Ｓ２の座標との対応関係に基づいて、対象位置に相当する検出面対応位置Ｐ６を求める。
【００２９】
例えば、算出部１５は、第１の基準位置と検出面対応位置に表される範囲の中心との間隔及び方向を算出する。図７は、実施形態の第１の基準位置Ｐ５と検出面対応位置Ｐ６との関係を表す模式図である。ここでは説明のため、上下方向（ｚ軸方向）について説明する。算出部１５は、第１の基準位置Ｐ５から検出面の中心Ｐ３までの距離Ｔ１及び方向と検出面対応位置に表される範囲の中心Ｐ７とを参照することによって、検出面の中心Ｐ３から検出面対応位置Ｐ６に表される範囲の中心Ｐ７までの距離Ｔ２及び方向を求める。算出部１５は、該距離Ｔ２を、第１の基準位置Ｐ５から検出面の中心Ｐ３までの距離に加算又は減算する。
【００３０】
図７の例では、検出面対応位置Ｐ６に表される範囲の中心Ｐ７は、検出面の中心Ｐ３よりも下方に位置している。この場合、第１の基準位置Ｐ５から検出面の中心Ｐ３までの方向と、検出面の中心Ｐ３から検出面対応位置Ｐ６に表される範囲の中心Ｐ７までの方向とは、反対方向である。このとき、算出部１５は、検出面の中心Ｐ３から検出面対応位置Ｐ６に表される範囲の中心Ｐ７までの距離Ｔ２を、第１の基準位置Ｐ５から検出面の中心Ｐ３までの距離Ｔ１に減算する。それにより、第１の基準位置Ｐ５と検出面対応位置Ｐ６に表される範囲の中心Ｐ７との間隔Ｔ３が上下方向（ｚ軸方向）について算出される。
【００３１】
なお、第１の基準位置Ｐ５から検出面の中心Ｐ３までの方向と、検出面の中心Ｐ３から検出面対応位置Ｐ６に表される範囲の中心Ｐ７までの方向とが、同じ方向である場合がある。この場合、算出部１５は、検出面の中心Ｐ３から検出面対応位置Ｐ６に表される範囲の中心Ｐ７までの距離Ｔ２を、第１の基準位置Ｐ５から検出面の中心Ｐ３までの距離Ｔ１に加算する。それにより、第１の基準位置Ｐ５と検出面対応位置Ｐ６に表される範囲の中心Ｐ７との間隔Ｔ３が上下方向（ｚ軸方向）について算出される。
【００３２】
このように算出部１５は、２つの座標軸方向について、対象位置と第１の基準位置Ｐ５との距離及び方向を算出する。算出部１５は、第１の基準位置Ｐ５と検出面対応位置Ｐ６に表される範囲の中心Ｐ７との間隔及び方向を、対象位置と第１の基準位置Ｐ５との距離及び方向を表す情報として符号生成部１６へ出力する。
【００３３】
また、算出部１５は、求められた検出面対応位置Ｐ６に表される範囲に基づいて、該範囲の上下方向（ｚ軸方向）の幅Ｔ４及び左右方向（ｘ軸方向）の幅Ｔ５を算出する。検出面対応位置Ｐ６に表される範囲はＸ線検出面Ｓ２における座標として求められている。算出部１５は、該範囲の座標情報を上下方向（ｚ軸方向）及び左右方向（ｘ軸方向）についてそれぞれ参照することによって、上下方向（ｚ軸方向）の幅Ｔ４及び左右方向（ｘ軸方向）の幅Ｔ５を算出する。このように算出された上下方向（ｚ軸方向）の幅Ｔ４及び左右方向（ｘ軸方向）の幅Ｔ５は、第１の医用画像診断装置１によって照射されたＸ線が第２の医用画像診断装置２による検査の検査対象部位を含む対象範囲を透過して検出面に入射した範囲の幅（Ｔ４，Ｔ５）を表す。算出部１５は、算出された幅（Ｔ４，Ｔ５）を対象範囲の幅を表す情報として符号生成部１６へ出力する。
【００３４】
算出部１５は、左右方向（ｘ軸方向）についても同様に、第１の基準位置Ｐ５と検出面対応位置Ｐ６に表される範囲の中心Ｐ７との間隔及び方向を算出する。例えば、算出部１５は、第１の基準位置Ｐ５から中心Ｐ７までの間隔Ｔ６及び方向を算出する。それにより、第１の基準位置Ｐ５と検出面対応位置Ｐ６に表される範囲の中心Ｐ７との間隔及び方向が、２つの座標軸方向について算出される。算出された間隔及び方向は、第１の医用画像診断装置１によって照射されたＸ線が第２の医用画像診断装置２による検査の検査対象部位の中心位置を透過して検出面に入射した位置と、第１の基準位置Ｐ５との間隔及び方向を表す。
【００３５】
符号生成部１６は、該被検者Ｅ１における対象位置と第１の基準位置Ｐ５との距離及び方向と、該被検者Ｅ１を識別可能な情報との双方を表す読み込み可能な符号を生成する。例えば、符号生成部１６は、対象位置と第１の基準位置Ｐ５との距離及び方向を表す情報を算出部１５から受けるとともに、被検者Ｅ１を識別可能な情報である該被検者Ｅ１の被検者ＩＤを被検者ＩＤ記憶部３ｂから読み出す。符号生成部１６は、これら距離及び方向並びに被検者ＩＤを表す符号を生成する。
【００３６】
符号の例としては、２次元バーコードのような印刷可能な図形符号、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等の通信プロトコルにより通信可能な通信符号などが挙げられる。符号生成部１６は、符号に応じた出力機能を有する。例えば、符号生成部１６が図形符号を生成する場合、符号生成部１６は、印刷機を有し、生成した図形符号を印刷する。印刷された図形符号は、健康診断に用いられる問診票に貼り付け可能である。また、符号生成部１６が通信符号を生成する場合、符号生成部１６は、通信インターフェースを有し、生成した通信符号を出力する。出力された通信符号は、第２の医用画像診断装置２へ送信される。
【００３７】
システム制御部１７は、第１の医用画像診断装置１の各部を制御する。システム制御部１７は、記憶装置を含み、第１の医用画像診断装置１の各部の機能を実行するためのコンピュータプログラムを記憶する。システム制御部１７は、処理装置を含み、記憶されたコンピュータプログラムを実行することで、各部の機能を実現する。
【００３８】
図８は、実施形態の第２の医用画像診断装置２の機能構成を表すブロック図である。図９は、実施形態の第２の医用画像診断装置２の概略を表す模式図である。以下、第２の医用画像診断装置２の構成について説明する。
【００３９】
第２の医用画像診断装置２は、透視撮影寝台１８と、情報処理部４０と、表示部３０と、操作部３１と、システム制御部３２とを有する。透視撮影寝台１８は、Ｘ線照射ユニット１９と、高電圧発生部２１と、寝台部２２とを含む。Ｘ線照射ユニットは、高電圧発生部２１からの高電圧が印加されるＸ線管球２３と、Ｘ線絞り２４によって構成されている。寝台部２２は、Ｘ線検出器２２１と、寝台駆動部２２２とを含む。情報処理部４０は、符号変換部２５と、被検者ＩＤ記憶部２６と、位置特定部２７と、駆動制御部２８と、画像生成部２９とを含む。透視撮影寝台１８及び情報処理部４０は、システム制御部３２によって制御される。
【００４０】
透視撮影寝台１８は、Ｘ線照射ユニット１９と、高電圧発生部２１と、寝台部２２とを有する。Ｘ線照射ユニット１９は、寝台部２２に対向して設けられる。Ｘ線照射ユニット１９は、寝台部２２の載置面Ｓ３に平行な方向（ｚｘ平面に平行な方向）に移動可能に設けられる。Ｘ線照射ユニット１９は、Ｘ線管球２３とＸ線絞り２４とを有する。Ｘ線管球２３は、陰極及び陽極を備える。陰極は、電子を放出する。陽極は、陰極からの電子を受けてＸ線を発生し、被検者Ｅ１にＸ線を照射する。Ｘ線絞り２４は、開口（スリット）を形成し、このスリットのサイズ及び形状を変えることによって、Ｘ線管球２３が発生させたＸ線の照射視野を調整する。Ｘ線照射ユニット１９は、寝台部２２の載置面Ｓ３に平行な方向（ｚｘ平面に平行な方向）に移動可能に設けられる。
【００４１】
高電圧発生部２１は、Ｘ線管球２３がＸ線を照射するための高電圧を発生する。高電圧発生部２１は、Ｘ線管球２３の陽極と陰極との間に高電圧を印加する。高電圧発生部２１は、技師によるＸ線照射操作に基づく照射信号を受けたとき、Ｘ線管球２３に高電圧を印加する。そして、Ｘ線管球２３はＸ線を発生し、開口を通過したＸ線が被検者Ｅ１に照射される。
【００４２】
なお、第２の医用画像診断装置２では、透視用Ｘ線と撮影用Ｘ線とが区別して照射される。透視用Ｘ線は、Ｘ線透視のために照射されるＸ線である。通常、透視用Ｘ線の線量は、撮影用Ｘ線の線量よりも少ない。撮影用Ｘ線は、Ｘ線撮影のために照射されるＸ線である。技師の操作によって、透視用Ｘ線の照射と撮影用Ｘ線の照射とが切り替えられる。
【００４３】
寝台部２２は、被検者Ｅ１が載置される載置面Ｓ３と、載置されるときに被検者Ｅ１の足底が接するフットレストＦ１と、Ｘ線検出器２２１と、寝台駆動部２２２とを有する。Ｘ線検出器２２１は、寝台部２２内部の載置面Ｓ３近傍に設けられる。Ｘ線検出器２２１は、被検者Ｅ１を透過し、そしてＸ線検出面に入射したＸ線を検出する。Ｘ線検出器２２１は、検出したＸ線を電荷に変換して蓄積する。Ｘ線検出部は、蓄積した電荷を検出データとして画像生成部２９へ出力する。寝台駆動部２２２は、載置面Ｓ３の短手方向（ｘ軸方向）を回動軸として寝台部２２とＸ線照射ユニット１９とをともに回動させる。
【００４４】
符号変換部２５は、符号生成部１６による符号を読み込む。符号変換部２５は、読み込んだ符号を、対象位置と第１の基準位置Ｐ５との距離及び方向と、被検者Ｅ１を識別可能な情報とに変換する。例えば、符号変換部２５は、２次元バーコードリーダを含む。第２の医用画像診断装置２の検診車Ｃ２に被検者Ｅ１が到着すると、符号としての２次元バーコードが印刷され且つ貼り付けられた問診票が技師へ渡される。技師は、２次元バーコードリーダを用いて符号変換部２５に２次元バーコードを読み込ませる。そして、符号変換部２５は、読み込んだ２次元バーコードを対象位置と第１の基準位置Ｐ５との距離及び方向と、被検者Ｅ１を識別可能な情報である被検者ＩＤとに変換する。符号変換部２５は、対象位置と第１の基準位置Ｐ５との距離及び方向を表す情報を位置特定部２７へ出力する。符号変換部２５は、被検者ＩＤを表す情報を被検者ＩＤ記憶部２６へ出力する。被検者ＩＤ記憶部２６は、被検者ＩＤ記憶部２６は、一般的な記憶装置を含んで構成され、符号変換部２５から受けた被検者ＩＤを表す情報を記憶する。
【００４５】
このように、第１の医用画像診断装置１と第２の医用画像診断装置２との間で、対象位置と第１の基準位置Ｐ５との距離及び方向と、被検者ＩＤとの情報が一括して受け渡しされる。それにより、対象位置と第１の基準位置Ｐ５との距離及び方向が他の被検者Ｅ１の検査に用いられるような情報の取り違えを防止することができる。また、従来の集団健康診断では、医用画像診断装置ごとに、技師が、問診票に貼り付けられた被検者ＩＤを表す符号（例：１次元バーコード）を読み込ませ、被検者Ｅ１を特定してから検査が行われていた。この実施形態では、対象位置と第１の基準位置Ｐ５との距離及び方向と被検者ＩＤとの情報が一括して受け渡しされる。それにより、技師の作業負担を増やすことなく、対象位置と第１の基準位置Ｐ５との距離及び方向と被検者ＩＤとの情報を受け渡すことができる。
【００４６】
位置特定部２７は、対象位置と第１の基準位置Ｐ５との距離及び方向と、被検者Ｅ１を識別可能な情報と、第１の基準位置Ｐ５に対応する位置として予め定められた第２の基準位置とに基づいて、第２の医用画像診断装置２において対象位置に対応する対応位置を被検者Ｅ１について特定する。例えば、位置特定部２７は、符号変換部２５から、対象位置と第１の基準位置Ｐ５との距離及び方向を表す情報を受けることによって、該距離及び該方向を特定する。位置特定部２７は、メモリ領域を有し、第２の基準位置を表す第２の基準位置情報を予め記憶する。
【００４７】
図１０は、実施形態の第２の基準位置Ｐ８についての概略を表す模式図である。第２の基準位置Ｐ８は、第１の基準位置Ｐ５に対応する位置に定められる。例えば、第２の基準位置Ｐ８は、長手方向（ｚ軸方向）の寝台部２２の中心軸Ａ２とフットレストＦ１の上面Ｐ９との交点の位置に定められる。第２の基準位置Ｐ８は、第１の基準位置Ｐ５に対応する位置として予め定められる。
【００４８】
第２の基準位置Ｐ８は、第１の医用画像診断装置１における第１の基準位置Ｐ５と被検者Ｅ１との相対的な位置関係と、第２の医用画像診断装置２おける第２の基準位置Ｐ８と被検者Ｅ１との相対的な位置関係とが同等であるとみなせる位置に定められる。また、各座標軸方向（ｘ軸方向、ｙ軸方向及びｚ軸方向）は第１の医用画像診断装置１での被検者Ｅ１に対する方向と同等となる方向に定められる。それにより、第１の医用画像診断装置１の被検者Ｅ１に対する座標系と第２の医用画像診断装置２の被検者Ｅ１に対する座標系とが対応付けられる。
【００４９】
位置特定部２７により特定された対象位置と第１の基準位置Ｐ５との距離及び方向は、第１の医用画像診断装置１の被検者Ｅ１に対する座標系に基づくものである。上述したように、第１の医用画像診断装置１の被検者Ｅ１に対する座標系と第２の医用画像診断装置２の被検者Ｅ１に対する座標系とは予め対応付けられて定められている。位置特定部２７は、この対応付けに基づいて、対象位置に対応する対応位置Ｐ１０を特定する。それにより、第１の医用画像診断装置１において指定された対象位置の中心及び対象範囲に対応する位置が、第２の医用画像診断装置２について特定される。位置特定部２７は、特定した対応位置Ｐ１０の中心Ｐ１１及び対応範囲を表す情報を駆動制御部２８へ設定可能に出力する。
【００５０】
駆動制御部２８は、特定された対応位置Ｐ１０にＸ線を照射可能な位置へＸ線管球２３を移動させる。駆動制御部２８は、位置特定部２７からの対応位置Ｐ１０の中心Ｐ１１及び対応範囲を表す情報を参照して、対応位置Ｐ１０の中心Ｐ１１を特定する。駆動制御部２８は、対応位置Ｐ１０の中心Ｐ１１にＸ線を照射可能な位置へＸ線照射ユニット１９を移動させる。対応位置Ｐ１０の中心Ｐ１１にＸ線を照射可能な位置の例としては、Ｘ線管球２３の焦点が、対応位置Ｐ１０の中心Ｐ１１で載置面Ｓ３に直交する直線に含まれる位置が挙げられる。
【００５１】
また、駆動制御部２８は、Ｘ線絞り２４を制御して、対応範囲にＸ線を照射するための開口を形成させる。駆動制御部２８は、位置特定部２７からの対応位置Ｐ１０の中心Ｐ１１及び対応範囲を表す情報を参照して、対応範囲を特定する。駆動制御部２８は、Ｘ線絞り２４を制御して、対応範囲に対応する開口を形成させる。このように、駆動制御部２８が、特定された対応位置Ｐ１０にＸ線を照射可能な位置へＸ線管球２３を移動させ、対応範囲にＸ線を照射するための開口を形成させることによって、対応範囲へＸ線を照射することができる。
【００５２】
画像生成部２９は、Ｘ線検出器２２１からの検出データに基づいてＸ線画像データを生成する。Ｘ線画像データには、Ｘ線透視データ及びＸ線撮影データが含まれる。Ｘ線透視が行われているとき、画像生成部２９はＸ線透視画像データを一定の時間間隔（フレームレート）で生成し、Ｘ線透視画像データを生成するごとにＸ線透視画像データを表示部３０へ出力する。
【００５３】
Ｘ線撮影が行われるとき、画像生成部２９は、撮影用Ｘ線が照射されたときの検出データに基づくＸ線撮影画像データを生成する。このとき画像生成部２９は、被検者ＩＤ記憶部２６から被検者ＩＤを読み出し、Ｘ線撮影画像データに被検者ＩＤを付帯させてもよい。画像生成部２９は、記憶装置を有し、生成したＸ線撮影画像データを記憶する。画像生成部２９は、生成したＸ線撮影画像データを表示部３０へ出力する。
【００５４】
表示部３０は、画像生成部２９からのＸ線透視画像データに基づくＸ線透視画像又はＸ線撮影画像データに基づくＸ線撮影画像データを表示する。それにより、技師は、被検者Ｅ１のＸ線透視画像又はＸ線撮影画像を視認することができる。表示部３０は、液晶ディスプレイや有機ＥＬ（Ｅｌｅｃｔｒｏ‐Ｌｕｍｉｎｅｓｃｅｎｃｅ）ディスプレイ等の表示装置により構成される。
【００５５】
操作部３１は、技師による操作を受けて、この操作の内容に応じた信号や情報を装置各部へ入力する。操作部３１は、例えば、キーボード、マウス、Ｘ線照射スイッチ等の各種スイッチにより構成される。
【００５６】
システム制御部３２は、第２の医用画像診断装置２の各部を制御する。システム制御部３２は、記憶装置を含み、第２の医用画像診断装置２の各部の機能を実行するためのコンピュータプログラムを記憶する。システム制御部３２は、処理装置を含み、記憶されたコンピュータプログラムを実行することで、各部の機能を実現する。
【００５７】
図１１は、この実施形態の医用検査システムの動作を表すフローチャートである。以下、この実施形態の医用検査システムの動作について説明する。
【００５８】
ステップＳ１０１：被検者ＩＤ読込部３ａは、被検者Ｅ１を識別可能な被検者ＩＤを読み込む。被検者ＩＤ読込部３ａは、被検者ＩＤを特定する。被検者ＩＤ読込部３ａは、特定した被検者ＩＤを表す情報を被検者ＩＤ記憶部３ｂへ出力する。
【００５９】
ステップＳ１０２：Ｘ線検出器９は、被検者Ｅ１の体格に合わせた位置へ移動される。
【００６０】
ステップＳ１０３：高電圧発生部７は、技師によるＸ線照射操作に基づく照射信号を受けたとき、Ｘ線管球５に高電圧を印加する。そして、Ｘ線管球５はＸ線を発生し、開口を通過したＸ線が被検者Ｅ１に照射される。Ｘ線検出器９は、被検者Ｅ１を透過し、そしてＸ線検出面に入射したＸ線を検出する。
【００６１】
ステップＳ１０４：検出器位置取得部１０は、Ｘ線照射操作がなされたときのＸ線検出器９の位置を取得する。このとき、検出器位置取得部１０は、照射信号を受け、該照射信号を受けたときのＸ線検出器９の位置を取得する。検出器位置取得部１０は、取得したＸ線検出器９の位置を表す位置情報を算出部１５へ出力する。
【００６２】
ステップＳ１０５：画像生成部１１は、Ｘ線検出器９からの検出データに基づいてＸ線画像データを生成する。画像生成部１１は、生成したＸ線画像データを表示部１２へ出力する。
【００６３】
図１１では、ステップＳ１０４とステップＳ１０５とが並列処理される例を示しているが、これらステップは、直列処理されてもよい。これらステップが直列処理される場合、ステップＳ１０４とステップＳ１０５との処理順序はどちらが先の順序でもよい。
【００６４】
ステップＳ１０６：表示部１２は、画像生成部１１からのＸ線画像データに基づくＸ線画像を表示する。指定受付部１４は、第２の医用画像診断装置２による検査対象部位の位置である対象位置の指定をＸ線画像について受け付ける。指定受付部１４は、この対象位置を表す対象位置データを算出部１５へ出力する。
【００６５】
ステップＳ１０７：算出部１５は、対象位置と、Ｘ線画像が撮影されたときのＸ線検出器９の位置と、第１の医用画像診断装置１について予め定められた第１の基準位置Ｐ５とに基づいて、対象位置と第１の基準位置Ｐ５との距離及び方向を算出する。算出部１５は、対象位置と第１の基準位置Ｐ５との距離及び方向を表す情報として符号生成部１６へ出力する。
【００６６】
ステップＳ１０８：符号生成部１６は、被検者Ｅ１における対象位置と第１の基準位置Ｐ５との距離及び方向と、該被検者Ｅ１を識別可能な被検者ＩＤとの双方を表す符号を生成する。符号生成部１６は、生成された符号を出力する。
【００６７】
ステップＳ１０９：符号変換部２５は、符号生成部１６による符号を読み込む。符号変換部２５は、読み込んだ符号を、対象位置と第１の基準位置Ｐ５との距離及び方向と、被検者ＩＤとに変換する。符号変換部２５は、対象位置と第１の基準位置Ｐ５との距離及び方向を表す情報を位置特定部２７へ出力する。
【００６８】
ステップＳ１１０：位置特定部２７は、対象位置と第１の基準位置Ｐ５との距離及び方向と、第１の基準位置Ｐ５に対応する位置として予め定められた第２の基準位置とに基づいて、第２の医用画像診断装置２において対象位置に対応する対応位置を特定する。位置特定部２７は、特定した対応位置Ｐ１０の中心Ｐ１１及び対応範囲を表す情報を駆動制御部２８へ出力する。
【００６９】
ステップＳ１１１：駆動制御部２８は、位置特定部２７からの対応位置Ｐ１０の中心Ｐ１１及び対応範囲を表す情報を参照して、対応位置Ｐ１０の中心Ｐ１１を特定する。駆動制御部２８は、対応位置Ｐ１０の中心Ｐ１１にＸ線を照射可能な位置へＸ線照射ユニット１９を移動させる。このステップＳ１１１の処理は、胃部Ｘ線検査の開始時における粗調整移動及び微調整移動が、被検者Ｅ１の対象位置の位置に合わせて自動的に行われることを表している。
【００７０】
ステップＳ１１２：駆動制御部２８は、位置特定部２７からの対応位置Ｐ１０の中心Ｐ１１及び対応範囲を表す情報を参照して、対応範囲を特定する。駆動制御部２８は、Ｘ線絞り２４を制御して、対応範囲に対応する開口を形成させる。
【００７１】
ステップＳ１１３：高電圧発生部７は、技師による透視用のＸ線照射操作に基づく照射信号を受けたとき、Ｘ線管球５に透視用の高電圧を印加する。そして、Ｘ線管球５は透視用のＸ線を発生し、開口を通過した透視用のＸ線が被検者Ｅ１に照射される。それにより、第２の医用画像診断装置による検査が開始される。
【００７２】
第１の実施形態の医用検査システムの効果について説明する。この実施形態の医用検査システムは、第１の医用画像診断装置１によるＸ線画像について受け付けた対象位置に基づいて、第２の医用画像診断装置２における対応位置を算出する。また、この対応位置を被検者ＩＤとともに、第１の医用画像診断装置１から第２の医用画像診断装置２へ受け渡す。そして、対応位置へＸ線照射ユニット１９が移動され、Ｘ線絞り２４が対応範囲への照射野を形成する。このように、第２の医用画像診断装置による検査が開始される前に対応位置が求められ、該対応位置へのＸ線照射ユニットの移動及び照射野の形成が自動的に行われる。それにより、従来、技師の手動によってなされていた粗調整移動及び微調整移動の時間が短縮される。また、粗調整移動及び微調整移動の間、Ｘ線は照射されていないので、被検者の被曝量を低減することができる。従って、検査時間の短縮及び被検者の被曝量の低減を図ることができる。
【００７３】
〈第２の実施形態〉
図１２は、この実施形態の医用検査システムの第１の医用画像診断装置１の機能構成を表すブロック図である。この実施形態の医用検査システムは、第１の実施形態に対して、第１の医用画像診断装置１の機能構成が相異する。以下、この相異について主に説明する。
【００７４】
第１の医用画像診断装置１は、標準位置記憶部３３と、表示制御部３４とを含む。標準位置記憶部３３は、標準的な対象位置である標準位置を予め記憶する。例えば、標準位置とは、臨床的な統計から事前に求められた位置である。臨床的な統計から事前に求められた位置の例としては、複数の被検者について過去に撮影されたＸ線画像（本実施形態では胸部Ｘ線画像）の座標系における対象位置（本実施形態では胃部の位置）の最頻出位置が挙げられる。最頻出位置は、複数の被検者について過去に撮影されたＸ線画像の座標について、平均値や中央値を算出することによって予め定められる。技師等の操作者は、標準位置を表す座標情報を標準位置記憶部３３へ予め入力する。それにより、標準位置記憶部３３は、標準位置を表す座標情報を予め記憶する。
【００７５】
表示制御部３４は、Ｘ線画像と前記標準位置を表すマーカとを共に重畳して表示させる。図１３は、この実施形態のＸ線画像Ｐ４と標準位置を表すマーカＭ１との概略を表す模式図である。例えば、表示制御部３４は、標準位置記憶部３３から標準位置を表す座標情報を読み出す。表示制御部３４は、画像生成部１１からＸ線画像データを受ける。表示制御部３４は、標準位置を表す座標情報とＸ線画像データの座標系とを参照して、Ｘ線画像データのＸ線画像Ｐ４と標準位置を表すマーカＭ１とを重畳させて表示部１２に表示させる。
【００７６】
また、表示制御部３４は、標準位置を対象位置として承認するか否かの承認判断を技師へ促すためのウィンドウＷ１（図１４参照）を表示部１２に表示させる。ウィンドウＷ１には、標準位置を対象位置として承認する指示を受け付けるためのアイコンＩＣ１と、標準位置を対象位置として承認しない指示を受け付けるためのアイコンＩＣ２とが含まれる。
【００７７】
指定受付部１４は、標準位置を対象位置とする指定を対象位置の指定として受け付けることが可能に構成される。例えば、技師がポインティングデバイス等の操作部１３を操作して、アイコンＩＣ１を介する指示を行ったとき、指定受付部１４は、標準位置を対象位置として承認する指示がなされたと判断する。このとき、指定受付部１４は、標準位置を対象位置とみなし、標準位置を表すデータを対象位置データとして算出部１５へ出力する。
【００７８】
技師がポインティングデバイス等の操作部１３を操作して、アイコンＩＣ２を介する指示を行ったとき、指定受付部１４は、標準位置を対象位置として承認しない指示がなされたと判断する。そして、技師は、操作部１３を介して、楕円や長方形などの所定の図形を胸部Ｘ線画像に描くように、第２の医用画像診断装置２の検査（この実施形態では胃部Ｘ線検査）による検査対象部位を含む対象範囲を指定する。指定受付部１４は、受け付けた対象範囲の位置すなわち対象位置を、表示されたＸ線画像での座標に変換する。指定受付部１４は、この対象位置を表す対象位置データを算出部１５へ出力する。
【００７９】
図１５及び図１６は、この実施形態の医用検査システムの動作を表すフローチャートである。
【００８０】
ステップＳ２０１からステップＳ２０４までの各ステップの処理内容は、図１１に示した動作例のステップＳ１０１からステップＳ１０４までの各ステップの処理内容と同様である。
【００８１】
ステップＳ２０５：画像生成部１１は、Ｘ線検出器９からの検出データに基づいてＸ線画像データを生成する。画像生成部１１は、生成したＸ線画像データを表示制御部３４へ出力する。
【００８２】
図１５では、ステップＳ２０４とステップＳ２０５とが並列処理される例を示しているが、これらステップは、直列処理されてもよい。これらステップが直列処理される場合、ステップＳ２０４とステップＳ２０５との処理順序はどちらが先の順序でもよい。
【００８３】
ステップＳ２０６：このステップの処理内容は、図１６を参照して後述する。
【００８４】
ステップＳ２０７からステップＳ２１３までの各ステップの処理内容は、図１１に示した動作例のステップＳ２０７からステップＳ２１３までの各ステップの処理内容と同様である。
【００８５】
図１６を参照して、ステップＳ２０６の処理内容を説明する。
【００８６】
ステップＳ３０１：表示制御部３４は、標準位置記憶部３３から標準位置を表す座標情報を読み出す。
【００８７】
ステップＳ３０２：表示制御部３４は、画像生成部１１からＸ線画像データを受ける。標準位置を表す座標情報とＸ線画像データの座標系とを参照する。
【００８８】
ステップＳ３０３：表示制御部３４は、Ｘ線画像データのＸ線画像Ｐ４と標準位置を表すマーカＭ１とを重畳させて表示部１２に表示させる。
【００８９】
ステップＳ３０４：表示制御部３４は、標準位置を対象位置として承認するか否かの承認判断を技師へ促すためのウィンドウＷ１（図１４参照）を表示部１２に表示させる。
【００９０】
ステップＳ３０５：標準位置を対象位置として承認する指定がなされたとき（ステップＳ３０４；Ｙｅｓ）、指定受付部１４は、標準位置を対象位置とみなし、標準位置を表すデータを対象位置データとして算出部１５へ出力する。
【００９１】
ステップＳ３０６：標準位置を対象位置として承認しない指示がなされたとき（ステップＳ３０４；Ｎｏ）、技師は、操作部１３を介して、楕円や長方形などの所定の図形を胸部Ｘ線画像に描くような操作入力を行い、第２の医用画像診断装置２の検査（この実施形態では胃部Ｘ線検査）による検査対象部位を含む対象範囲を指定する。指定受付部１４は、受け付けた対象範囲の位置すなわち対象位置を、表示されたＸ線画像での座標に変換する。指定受付部１４は、この対象位置を表す対象位置データを算出部１５へ出力する。
【００９２】
この実施形態の医用検査システムの効果について説明する。集団健康診断を受診する複数の被検者のうち多数は、概ね近い位置に胃部が位置している場合がある。技師は、複数の被検者のＸ線画像に対してそれぞれ対象位置の指定を行うとき、標準位置に胃部が位置している多数の被検者に対して、標準位置への承認指示を行うことで対象位置の指定を行うことができる。一方、胃下垂の被検者などの標準位置に胃部が位置していない一部の被検者に対しては、第１の実施形態と同様の操作指示で対象位置の指定を行う。このように、標準位置を予め記憶し、Ｘ線画像に重畳させて表示させることにより、技師が対象位置の指定を行う時間の短縮を図ることができる。従って、さらに検査時間の短縮を図ることができる。
【００９３】
以上述べた少なくともひとつの実施形態によれば、第２の医用画像診断装置による検査が開始される前に対応位置が求められ、該対応位置へのＸ線照射ユニットの移動及び照射野の形成が自動的に行われる。それにより、検査時間の短縮及び被検者の被曝量の低減を図ることができる。
【００９４】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００９５】
例えば、上述した実施形態では、検診車を用いた移動式の健康診断の例について説明したが、病院等の所定の医療機関の中で行われる健康診断に用いられる医用検査システムの形態において本発明が実施されてもよい。また、第２の医用画像診断装置は、第１の医用画像診断装置による検査が行われた後に用いられる装置であればよい。例えば、健康診断によって、検査対象部位（上述した実施形態では胃部）の再検査が必要と診断された被検者が、再検査などで病院等の所定の医療機関で検査対象部位の検査を受けるとき、健康診断時に算出された対応位置を用いてもよい。
【符号の説明】
【００９６】
１      第１の医用画像診断装置
２      第２の医用画像診断装置
３ａ    被検者ＩＤ読込部
３ｂ    被検者ＩＤ記憶部
４      Ｘ線照射部
５      Ｘ線管球
６      Ｘ線絞り
７      高電圧発生部
８      立位撮影台
９      Ｘ線検出器
１０    検出器位置取得部
１１    画像生成部
１２    表示部
１３    操作部
１４    指定受付部
１５    算出部
１６    符号生成部
１７    システム制御部
１８    透視撮影寝台
１９    Ｘ線照射ユニット
２０    情報処理部
２１    高電圧発生部
２２    寝台部
２３    Ｘ線管球
２４    Ｘ線絞り
２５    符号変換部
２６    被検者ＩＤ記憶部
２７    位置特定部
２８    駆動制御部
２９    画像生成部
３０    表示部
３１    操作部
３２    システム制御部
３３    標準位置記憶部
３４    表示制御部
４０    情報処理部
２２１  Ｘ線検出器
２２２  寝台駆動部
【図１】
0006415896.tif 000002
【図２】
0006415896.tif 000003
【図３】
0006415896.tif 000004
【図４】
0006415896.tif 000005
【図５】
0006415896.tif 000006
【図６】
0006415896.tif 000007
【図７】
0006415896.tif 000008
【図８】
0006415896.tif 000009
【図９】
0006415896.tif 000010
【図１０】
0006415896.tif 000011
【図１１】
0006415896.tif 000012
【図１２】
0006415896.tif 000013
【図１３】
0006415896.tif 000014
【図１４】
0006415896.tif 000015
【図１５】
0006415896.tif 000016
【図１６】
0006415896.tif 000017